(57)【要約】【課題】軽量気泡コンクリートパネルを利用して構成した外壁に形成された開口部にサッシを配置した場合、該開口部を奥行き感を表現させると共にシーリングを露出させないようにする。【解決手段】開口部構造は、外壁に形成された開口部Ａの上部，両側に配置するＡＬＣパネル１〜３、ＡＬＣコーナーパネル５の長辺又は短辺の小口面に表面側に沿って突条１１を形成すると共に該突条１１の裏面にシーリング面１２を形成し、前記シーリング面１２に向けて傾斜面１３を設け、ＡＬＣパネル，ＡＬＣコーナーパネルの小口面を開口部Ａに対向させると共に上部フレーム２１，縦フレーム２２によって支持し、更に、シーリング面１２と開口部Ａに配置されたサッシＣの上部枠３１，縦枠３２との間にシーリング材３５を設ける。【選択図】        図２
2004183269.tif 000002
【特許請求の範囲】
【請求項１】
外壁に形成された開口部の上部に配置する軽量気泡コンクリート壁パネルの長辺又は短辺の小口面に表面側に沿って突条を形成すると共に該突条の裏面にシーリング面を形成し且つ前記シーリング面に向けて傾斜面を設けておき、前記軽量気泡コンクリート壁パネルの小口面を開口部の上部に対向させると共に開口部の上部に配置された支持部材によって支持し、更に、開口部に配置されたサッシの上部枠との間にシーリング材を設けたことを特徴とする開口部構造。
【請求項２】
外壁に形成された開口部の片側に配置する軽量気泡コンクリート壁パネルの長辺の小口面に表面側に沿って突条を形成すると共に該突条の裏面にシーリング面を形成し且つ前記シーリング面に向けて傾斜面を設けておき、前記軽量気泡コンクリート壁パネルの小口面を開口部の片側に対向させると共に開口部の片側に配置された支持部材によって支持し、更に、開口部に配置されたサッシの縦枠との間にシーリング材を設けたことを特徴とする開口部構造。
【請求項３】
外壁に形成された開口部の片側に配置する軽量気泡コンクリートコーナー壁パネルの長辺の小口面に表面側に沿って突条を形成すると共に該突条の裏面にシーリング面を形成し且つ前記シーリング面に向けて傾斜面を設けておき、前記軽量気泡コンクリートコーナー壁パネルの小口面を開口部の片側に対向させると共に開口部の片側に配置された支持部材によって支持し、更に、開口部に配置されたサッシの縦枠との間にシーリング材を設けたことを特徴とする開口部構造。
【請求項４】
長辺又は短辺の小口面に、壁パネルの表面側に沿って形成された突条と、前記突条の裏面に形成されたシーリング面と、前記シーリング面に向けて形成された傾斜面とを有することを特徴とする軽量気泡コンクリート壁パネル。
【請求項５】
長辺又は短辺の小口面に、壁パネルの表面側に沿って形成された突条と、前記突条の裏面に形成されたシーリング面と、前記シーリング面に向けて形成された傾斜面とを有することを特徴とする軽量気泡コンクリートコーナー壁パネル。
【発明の詳細な説明】
【０００１】
【発明の属する技術分野】
本発明は、軽量気泡コンクリートパネルを利用した外壁に形成された開口部の意匠性を向上させることが出来る開口部構造と、この開口部構造を実現する軽量気泡コンクリート壁パネルに関するものである。
【０００２】
【従来の技術】
住宅を含む建物では、軽量で断熱性に優れることから外壁に軽量気泡コンクリートパネル（ＡＬＣパネル）を利用することが多くなっている。ＡＬＣパネルを利用した外壁に開口部を構成する場合、形鋼を用いて井桁状の開口枠を形成して上下の梁に固定し、この開口枠にＡＬＣパネルやアルミサッシを取り付けるように構成されている。また開口部に嵌め込まれるアルミサッシは、ＡＬＣ専用サッシとして構成されるのが一般的である。
【０００３】
ＡＬＣパネルを利用した外壁に構成された開口部の構造について、図１０の縦断面図、図１１の平断面図により説明する。図に於いて、外壁に形成された開口部５１にはサッシ５２が配置されている。このサッシ５２の周囲であって、上部には上部ＡＬＣパネル５３ａが、下部には下部ＡＬＣパネル５３ｂが、側部には側部ＡＬＣパネル５３ｃが配置されており、夫々のＡＬＣパネル５３ａ〜５３ｃは上部支持部材５４ａ，下部支持部材５４ｂ，側部支持部材５４ｃによって支持されている。各ＡＬＣパネル５３ａ〜５３ｃの開口部５１に対向する小口面は平坦な面として形成されており、屋外面側と屋内面側のコーナー部が面取り加工されている（例えば特許文献１、２参照）。
【０００４】
開口部５１の周囲に配置されたＡＬＣパネル５３ａ〜５３ｃの小口面と、サッシ５２の上部横枠５２ａ，下部横枠５２ｂ，縦枠５２ｃとの接続部位は、雨水の浸入を防止し得るようにシーリング５５が施されている。即ち、上部横枠５２ａの上部突出端であって上部ＡＬＣパネル５３ａと対向する部位、縦枠５２ｃの側部突出端であって側部ＡＬＣパネル５３ｃと対向する部位、下部横枠５２ｂには、夫々凹部５２ｄが形成されており、この凹部５２ｄにシーリング５５が施工されている。特に、下部横枠５２ｂの下側には水切材５６が配置されており、該水切材５６によって下部ＡＬＣパネル５３ｂの小口面が覆われると共に、屋外側の表面との間にもシーリング５５が施工されている。
【０００５】
【特許文献１】
特開平１１−３０３２６６号公報
【特許文献２】
特開平１０−１４８０５９号公報
【０００６】
【発明が解決しようとする課題】
上記の如く構成された開口部では、該開口部に配置し得るサッシがＡＬＣ専用サッシに限定されるため、意匠上の選択肢が少ないという問題や、開口部に配置されたサッシ枠の外表面が開口部の周囲に配置されたＡＬＣパネルの外表面と略同一面になってしまい、奥行きを感じさせる意匠には出来ないという問題がある。
【０００７】
また開口部に配置されたサッシの上部横枠及び縦枠と、上部ＡＬＣパネル，側部ＡＬＣパネルの小口面との間に施工されたシーリングが外部に露出することとなり、日射や雨水の影響を強く受け、耐候性上・防水上厳しい環境条件に晒されるという問題もある。
【０００８】
例えば、プレキャストコンクリートパネル（ＰＣパネル）を外壁に用いて開口部を構成した場合、開口部に対向する小口面に於ける屋外側に連続した突起を形成し、この突起の裏面側にサッシを配置することで、サッシを奥行きを持って取り付けたり、シーリングを突起によって遮蔽することが行われる。しかし、ＰＣパネルは緻密で高い強度を有するのに対し、ＡＬＣパネルは粗で比較的に強度が小さいという問題があり、小口面にＰＣパネルと同一の連続した突起を形成しようとしても、この突起が根元から割れてしまうという問題があり、モルタル等による補修に時間と費用が係るという問題を生じる。またＰＣパネルであっても型枠の形状が複雑となり工期や費用がかさむという問題が発生している。
【０００９】
本発明の目的は、ＡＬＣパネルを利用して構成した外壁に形成された開口部にサッシを配置した場合であっても、奥行き感を表現することが出来、シーリングを露出させることのない開口部構造を提供すると共に、該開口部を構成する際に最適なＡＬＣパネルを提供することにある。
【００１０】
【課題を解決するための手段】
上記課題を解決するために本発明に係る開口部構造は、外壁に形成された開口部の上部に配置する軽量気泡コンクリート壁パネルの長辺又は短辺の小口面に表面側に沿って突条を形成すると共に該突条の裏面にシーリング面を形成し且つ前記シーリング面に向けて傾斜面を設けておき、前記軽量気泡コンクリート壁パネルの小口面を開口部の上部に対向させると共に開口部の上部に配置された支持部材によって支持し、更に、開口部に配置されたサッシの上部枠との間にシーリング材を設けたものである。
【００１１】
上記開口部構造では、開口部の上方に配置された軽量気泡コンクリート壁パネル（以下単に「ＡＬＣパネル」という）の長辺或いは短辺の小口面に於ける表面側に沿って突条を形成し、この突条の裏面にシーリング面を形成し、更に、シーリング面に向けて傾斜面を設け、このＡＬＣパネルを小口面を開口部の上部に対向させて支持部材によって支持することで、開口部の上部表面側には上部に配置されたＡＬＣパネルの小口面に形成された突条が配置され、該突条の裏面にシーリング面が設けられる。そして開口部に配置されたサッシの上部枠と、ＡＬＣパネルの突条の裏面に設けたシーリング面との間にシーリング材を設けることによって、シーリング材は突条に覆われ表面側に露出することがない。
【００１２】
このように、シーリング材が表面側に露出することがないことから、該シーリング材が人目に晒されることがなく、美観を向上することが出来る。またサッシの表面が突条の厚さ分奥側に引き込むため、外壁面を奥行きを持たせた意匠とすることが出来る。更に、シーリング材が突条によって覆われることから日射や雨水に晒されることがなく、耐候性や防水性が劣化するまでの期間を延長することが出来る。
【００１３】
また第２の開口部構造は、外壁に形成された開口部の片側に配置するＡＬＣパネルの長辺の小口面に表面側に沿って突条を形成すると共に該突条の裏面にシーリング面を形成し且つ前記シーリング面に向けて傾斜面を設けておき、前記ＡＬＣパネルの小口面を開口部の片側に対向させると共に開口部の片側に配置された支持部材によって支持し、更に、開口部に配置されたサッシの縦枠との間にシーリング材を設けたものである。
【００１４】
上記第２の開口部構造では、開口部の縦方向の片側或いは両側にＡＬＣパネルを配置することによって、該開口部にサッシを配置したとき、サッシの縦枠とＡＬＣパネルの突条の裏面に設けたシーリング面との間にシーリング材を設けることによって、シーリング材は突条に覆われ表面側に露出することがない。このため、美観を向上することが出来、且つ外壁面を奥行きを持たせた意匠とすることが出来る。更に、シーリング材が日射や雨水に晒されることがなく、耐候性や防水性が劣化するまでの期間を延長することが出来る。
【００１５】
更に第３の開口部構造は、外壁に形成された開口部の片側に配置する軽量気泡コンクリートコーナー壁パネル（以下単に「ＡＬＣコーナーパネル」という）の長辺の小口面に表面側に沿って突条を形成すると共に該突条の裏面にシーリング面を形成し且つ前記シーリング面に向けて傾斜面を設けておき、前記ＡＬＣコーナーパネルの小口面を開口部の片側に対向させると共に開口部の片側に配置された支持部材によって支持し、更に、開口部に配置されたサッシの縦枠との間にシーリング材を設けたものである。
【００１６】
上記第３の開口部構造では、開口部が外壁のコーナー部分に形成されているような場合であっても、該コーナー部分に配置されるＡＬＣコーナーパネルが、長辺の小口面に表面側に沿って突条が形成され、該突条の裏面にシーリング面が形成されると共にシーリング面に向けて傾斜面が設けられているので、このＡＬＣコーナーパネルの小口面を開口部の片側に対向させると共に開口部の片側に配置された支持部材によって支持し、更に、開口部に配置されたサッシの縦枠との間にシーリング材を設けることによって、シーリング材は突条に覆われ表面側に露出することがない。
【００１７】
このため、シーリング材が表面側に露出することがなく、美観を向上することが出来、且つ外壁面を奥行きを持たせた意匠とすることが出来る。更に、シーリング材が日射や雨水に晒されることがなく、耐候性や防水性が劣化するまでの期間を延長することが出来る。
【００１８】
本発明に係るＡＬＣパネルは、長辺又は短辺の小口面に、壁パネルの表面側に沿って形成された突条と、前記突条の裏面に形成されたシーリング面と、前記シーリング面に向けて形成された傾斜面とを有して構成されるものである。
【００１９】
上記ＡＬＣパネルでは、小口面の表面側に沿って形成された突条の裏面側に、シーリング面に向けた傾斜面が形成されているため、突条がＡＬＣによって形成されているにも関わらず、該突条を成形する過程で或いは施工過程で何らかの力が作用した場合であっても割れが入ることがなく、安定した形状を保持することが出来る。
【００２０】
また本発明に係るＡＬＣコーナーパネルは、長辺又は短辺の小口面に、壁パネルの表面側に沿って形成された突条と、前記突条の裏面に形成されたシーリング面と、前記シーリング面に向けて形成された傾斜面とを有して構成されるものである。
【００２１】
上記ＡＬＣコーナーパネルでは、小口面の表面側に沿って形成された突条の裏面側に、シーリング面に向けた傾斜面が形成されているため、突条がＡＬＣによって形成されているにも関わらず、該突条を成形する過程で或いは施工過程で何らかの力が作用した場合であっても割れが入ることがなく、安定した形状を保持することが出来る。
【００２２】
【発明の実施の形態】
以下、上記開口部構造の好ましい実施形態と、ＡＬＣパネル及びＡＬＣコーナーパネルの好ましい実施形態について説明する。
【００２３】
本発明に係る開口部構造は、躯体にＡＬＣパネル及びＡＬＣコーナーパネルを取り付けることによって構成した外壁に形成された開口部の構造であって、該開口部にサッシを配置したときに、該サッシの表面をＡＬＣパネルの表面よりも屋内側に引き込ませることで、奥行き感を表現することを実現し、且つサッシとＡＬＣパネルとの間の間隙を止水するシーリングを外部に露出させずに美観を向上させると共に、シーリングに対する日射や雨水の影響を防止し得るように構成したものである。また本発明に係るＡＬＣパネル及びＡＬＣコーナーパネルは、上記開口部構造を実現するためのものである。
【００２４】
本発明に係る開口部構造では、開口部の上部には縦置き或いは横置きされたＡＬＣパネルが配置され、夫々のＡＬＣパネルは開口部の上部を規定する支持部材に支持される。このため、開口部の上縁には縦置き配置されたＡＬＣパネルの短辺の小口面が、或いは横置き配置されたＡＬＣパネルの長辺の小口面が対向することとなる。
【００２５】
また外壁に於ける開口部の形成位置に応じて、該開口部の左右方向の両側には外壁パネルであるＡＬＣパネルが配置される場合、一方側にＡＬＣパネルが他方側にＡＬＣコーナーパネルが配置される場合、両側にＡＬＣコーナーパネルが配置される場合がある。これらの開口部の両側に配置されたＡＬＣパネル，ＡＬＣコーナーパネルは開口部の左右方向を規定する支持部材に支持され、夫々のパネルの長辺の一部が開口部に対向することとなる。
【００２６】
従って、開口部の上縁に対向する短辺の小口面或いは長辺の小口面に、また開口部の左右の側縁に対向する長辺の小口面に、表面側に沿って連続した突条を形成すると共に該突条の裏面にシーリング面を形成し、且つシーリング面に向けて傾斜面を形成することで、開口部に配置されるサッシの上部枠をシーリング面に対向させると共に接触させて雨水の浸入を防止することが可能となり、且つサッシを外壁の表面から引き込ませた状態で取り付けることが可能となる。
【００２７】
突条の外表面がＡＬＣパネルの外表面と同一面であるか、或いは僅かに引き込まれて形成されているかも特に限定するものではない。しかし、ＡＬＣの強度を考慮すると、突条の外表面はＡＬＣパネルの外表面と同一面であることが好ましい。
【００２８】
突条の裏面に形成されたシーリング面は、開口部に配置されたサッシの上部枠に設けたシーリング材と接触して雨水の浸入を防止する機能を有する。このため、シーリング面は垂直な面、或いは略垂直な面として形成されることが好ましく、且つサッシの上部枠に設けたシーリング材の寸法よりも僅かに大きい寸法を持って形成されることが好ましい。
【００２９】
シーリング面に向けて形成された傾斜面は突条の基部の厚さを徐々に大きくし、突条に力がかかったときに応力が集中することを防止する機能を有する。このため、傾斜面の傾斜角度（小口面を平坦面としたとき該平坦面とのなす角度）は大きい方が好ましい。しかし、傾斜面の傾斜角度が大きくなると、ＡＬＣパネルの厚さの範囲内に納まらなくなることがあり、且つ小口面に支持部材による支持面を形成する場合、支持面として充分な寸法を確保し得なくなることがある。
【００３０】
このため、小口面に対する傾斜面の投影寸法は、ＡＬＣパネルの厚さと突条の厚さ、及び支持部材によるＡＬＣパネルの支持に必要な支持寸法等を考慮して設定され、傾斜面の傾斜角度は、１２０度〜１６０度の範囲であることが好ましく、１３５度（９０度＋４５度）程度であることが望ましい。傾斜面の傾斜角度が、前記角度よりも大きくなると充分な支持寸法を確保することが困難となり、前記角度よりも小さくなると突条に力が作用したとき基部に応力の集中が生じる虞がある。
【００３１】
上記の如く、ＡＬＣパネルの小口面に形成された突条の高さやＡＬＣパネルの厚さ方向に平行な方向の寸法（厚さ）は特に限定するものではなく、開口部に取り付けるべきサッシの上部枠の寸法に応じた高さと、ＡＬＣパネルの厚さ及びサッシ枠の厚さ及び意匠上必要とされたサッシの引込み寸法等の寸法から適宜設定された厚さとすることが好ましい。
【００３２】
ＡＬＣパネル及びＡＬＣコーナーパネルの小口面に形成された突条，シーリング面，傾斜面は、ＡＬＣパネル，ＡＬＣコーナーパネルを成形する際の型枠を前記小口面と同一の形状とすることで、成形段階で形成することが可能である。この場合、型枠の品種が増大して工程管理が煩雑となる虞が生じる虞がある。
【００３３】
このため、標準的なＡＬＣパネル，ＡＬＣコーナーパネルを成形しておき、これらのパネルの所定の辺を機械加工することで、突条，シーリング面，傾斜面を形成することが好ましい。この場合、寸法精度の優れた突条〜傾斜面を形成することが可能となる。
【００３４】
支持部材は、開口部の上部に配置されたＡＬＣパネルを支持する機能を有するものと、開口部の左右両側に配置されたＡＬＣパネル，ＡＬＣコーナーパネルを支持する機能を有するものとがあり、夫々ＡＬＣパネル，ＡＬＣコーナーパネルを良好な状態で支持し得るように構成されている。
【００３５】
従って、本発明に於いて支持部材としては形状や材料を限定するものではなく、開口部の上部に縦置き或いは横置きされたＡＬＣパネル、開口部の両側に配置されたＡＬＣパネル，ＡＬＣコーナーパネルを支持する機能を有するものであれば良い。このような支持部材としては、山形鋼や溝形鋼或いはリップ溝形鋼等の構造用形鋼或いは軽量形鋼、或いは鋼板を成形した部材等を利用することが可能である。
【００３６】
上記支持部材は夫々独立して配置されていても良いが、開口部の両側に縦方向に配置された一対の支持部材と、開口部の上部に横方向に配置された支持部材とを互いに溶接等の手段で一体化させた開口枠として構成しておくことが好ましい。このように、ＡＬＣパネル，ＡＬＣコーナーパネルを支持する支持部材を開口枠として構成しておくことで、該開口枠を、建物の躯体を構成する梁に取り付けることで開口部の形状を規定することが可能となり有利である。
【００３７】
開口部に配置されるサッシの構造は特に限定するものではなく、サッシ枠を構成する上部枠の突端部の前面側にシーリング材を設けたもの、サッシ枠を構成する縦枠の突端部の前面側にシーリング材を設けたもの、であれば利用することが可能である。このようなサッシとしては、ＡＬＣ専用サッシ、ＰＣ用サッシ、ＲＣサッシ等がある。
【００３８】
上記の如く、ＡＬＣパネルによって構成された外壁でありながらＲＣ用サッシも利用し得る。このため、サッシの選択の範囲が拡がることとなり、開口部の意匠性の多様化をはかることが可能となる。
【００３９】
次に、上記開口部構造及びＡＬＣパネル，ＡＬＣコーナーパネルの好ましい実施例について図を用いて説明する。図１は開口部の周囲のＡＬＣパネルの配置状態を説明する図である。図２は開口部に配置されたサッシの納まりを説明する縦断面図である。図３は開口部に配置されたサッシの納まりを説明する平断面図である。図４はＡＬＣコーナーパネルを有する開口部に配置されたサッシの納まりを説明する平断面図である。図５はＡＬＣパネルの小口面を説明する図である。図６はＡＬＣパネルの斜視図である。図７はＡＬＣパネルの小口面の例を説明する図である。図８はＡＬＣコーナーパネルの斜視図である。図９はＡＬＣコーナーパネルの小口面の例を説明する図である。
【００４０】
図１に示すように、外壁に形成された開口部Ａの周囲には開口枠Ｂが配置されており、該開口枠Ｂの周囲に複数のＡＬＣパネル１〜４が配置されている。開口部Ａの上部には、同図（ａ）に示すように縦置き配置されたＡＬＣパネル１、同図（ｂ）に示すように横置き配置されたＡＬＣパネル２が配置されている。従って、開口部Ａの上部に縦置き配置されたＡＬＣパネル１では幅方向の辺である短辺が開口部Ａに対向し、横置き配置されたＡＬＣパネル２では長手方向の辺である長辺が開口部Ａに対向している。
【００４１】
開口部Ａの上部に配置されたＡＬＣパネル１，２は、開口枠Ｂの上部フレーム２１に載置されて支持されている。即ち、開口枠Ｂを構成する上部フレーム２１は、開口部Ａの上部に配置されたＡＬＣパネル１，２を支持する支持部材としての機能を発揮する。
【００４２】
また開口部Ａの左右方向の両側には夫々縦置き配置されたＡＬＣパネル３が配置され、開口枠Ｂの縦フレーム２２によって支持されている。従って、開口枠Ｂを構成する縦フレーム２２が、開口部Ａの少なくとも片側に配置されたＡＬＣパネル３、又はＡＬＣコーナーパネル５（図８参照）を支持する支持部材としての機能を発揮する。
【００４３】
更に、開口部Ａの下方には縦置き配置されたＡＬＣパネル４が配置され、開口枠Ｂの下部フレーム２３によって支持されている。尚、ＡＬＣパネル４は開口部Ａの下部に配置されるものであり、小口面は開口部Ａに配置されたサッシＣ（図２〜図５参照）のサッシ枠を構成する下部枠３３及び該下部枠３３に連続させた水切板３４によって覆われるため、シーリングはＡＬＣパネル４の外表面と水切板３４との間に設けられる。このため、ＡＬＣパネル４の上部小口面は他のＡＬＣパネル１〜３、ＡＬＣコーナーパネル５と異なり、特別な形状に形成されることなく平坦な面として形成されている。
【００４４】
上記の如く構成された開口部ＡにはサッシＣが配置され、開口枠Ｂに取り付けられると共に、サッシＣの上部枠３１が開口部Ａの上部に配置されたＡＬＣパネル１，２とシーリング材３５を介して接触し、且つ縦枠３２が開口部Ａの両側に配置されたＡＬＣパネル３或いはＡＬＣコーナーパネル５とシーリング材３５を介して接触することで、雨水が浸入することを防止している。
【００４５】
次に、本実施例に係る開口部構造を構成するＡＬＣパネル１〜３，ＡＬＣコーナーパネル５の小口面の形状について図５により説明する。尚、図に示す小口面の形状は、開口部Ａの上部に配置されたＡＬＣパネル１，２の短辺，長辺、及び両側に配置されたＡＬＣパネル３，ＡＬＣコーナーパネル５の小口面に共通するものである。従って、図に示すＡＬＣパネル３は、他のＡＬＣパネル１，２及びＡＬＣコーナーパネル５を含むものとし、且つ各ＡＬＣ１〜３，ＡＬＣコーナーパネル５の小口面の形状は同図による説明で代表させるものとする。
【００４６】
図５（ａ）は、厚さの異なるＡＬＣパネル３の小口面に突条１１を形成するに際し室内側の面である裏面３ａを基準面として設定したものであり、ＡＬＣパネル３の厚さが厚くなる分を突条１１の厚さの増加によって吸収し得るようにしたものである。また同図（ｂ）は、ＡＬＣパネル３の屋外側の外表面３ｂを基準面として設定したものであり、ＡＬＣパネル３の厚さが厚くなるのに関わらず突条１１の厚さを一定に設定している。
【００４７】
従って、同図（ａ）の例では、ＡＬＣパネル３の厚さが厚くなるのに伴ってサッシＣの表面が外壁の表面から引っ込むこととなり、建物の重厚さを表現することが可能である。また同図（ｂ）の例では、ＡＬＣパネル３の厚さの変化に関わらずサッシＣの引込み寸法が一定となり、安定感を表現することが可能である。
【００４８】
突条１１はＡＬＣパネル３の外表面３ｂに沿って、小口面の全長にわたって連続して形成されている。即ち、ＡＬＣパネル１では突条１１は該ＡＬＣパネル３の幅方向の全長にわたって形成され、ＡＬＣパネル２，３及びＡＬＣコーナーパネル５では突条１１はＡＬＣパネル２，３及びＡＬＣコーナーパネル５の長手方向の全長にわたって形成されている。従って、突条１１の外表面はＡＬＣパネル３の外表面３ｂを共有することとなり、外見上、ＡＬＣパネル３と突条１１との区別はない。
【００４９】
突条１１の外表面の隅部には面取り部１１ａが形成されている。この面取り部１１ａは外壁を構成する他のＡＬＣパネルの隅部に形成されている面取り部と同一の形状に形成されており、これにより、外壁全体が統一のとれた意匠面として構成されている。
【００５０】
突条１１の厚さ（ＡＬＣパネル３の厚さと同方向の寸法）は、前述したように、ＡＬＣパネル３の厚さや基準面の取り方に応じて変化するものであり、一義的に設定されるものではない。同図（ａ）の実施例では、突条１１の厚さはＡＬＣパネル３の厚さの変化に応じて約３５ｍｍ〜約８５ｍｍの範囲で設定され、同図（ｂ）の実施例では約３５ｍｍに設定されている。しかし、前記寸法に限定するものではなく、突条１１は厚さが約１５ｍｍ程度であれば割れが発生する可能性が少なく、２５ｍｍ以上であれば割れが発生する虞がない。
【００５１】
突条１１の裏面はシーリング面１２として形成されている。このシーリング面１２は突条１１の端面１１ｂに対し略直角な面として形成されており、外表面３ｂと略平行な面として形成されている。シーリング面１２は、サッシＣに於ける上部枠３１，縦枠３２のシーリング材を保持する保持部の寸法に対応した寸法を持って形成されている。
【００５２】
本実施例に於いて、シーリング面１２の高さは約１２ｍｍに設定されている。しかし、前述したように、前記寸法に限定するものではなく、サッシＣの形状に応じて最適な寸法に設定されている。本件発明者の知見では、シーリング面１２の高さ寸法は約１０ｍｍ〜約２５ｍｍの範囲であれば、多くのサッシＣに対応することが可能である。
【００５３】
突条１１の基部であってシーリング面１２に連続して傾斜面１３が形成されており、該傾斜面１３に連続して支持面１４が形成されている。この傾斜面１３はシーリング面１２からＡＬＣパネル３の裏面３ａ側に向けて傾斜しており、この傾斜に伴って突条１１の基部を徐々に厚くしている。またシーリング面１２と傾斜面１３とが鈍角で接続されることから、切欠として機能することがなく、突条１１に力が作用した場合であっても、該突条１１の基部に集中応力が作用することがない。従って、突条１１の強度を保証することが可能となる。
【００５４】
本実施例に於いて、傾斜面１３の傾斜角度（支持面１４とのなす角θ）は、１３５度（９０度＋４５度）の角度を持って形成されている。しかし、前記角度に限定するものではなく、前述したように約１２０度〜約１６０度の範囲内であれば良い。
【００５５】
傾斜面１３の高さ（ＡＬＣパネル３の裏面３ａに沿った方向の寸法）は特に限定するものではない。しかし、シーリング面１２の寸法よりも大きい寸法を持って形成されることが好ましい。本実施例では、シーリング面１２の高さは約１２ｍｍで形成されており、傾斜面１３の高さは約１８ｍｍで形成されている。
【００５６】
また突条１１の端面１１ｂから支持面１４までの寸法（シーリング面１２の高さ＋傾斜面１３の高さ）は、開口部Ａに配置されるサッシＣを収容し得る寸法を有している。従って、サッシＣの寸法に応じて適宜設定されるが、実用的には約３０ｍｍ〜約５０ｍｍの範囲であれば良い。
【００５７】
次に、上記の如く構成されたＡＬＣパネル１〜３、ＡＬＣコーナーパネル５を開口部Ａの周囲に配置して構成した開口部構造について図２〜図４により説明する。尚、図に於いてサッシＣは模式的に記載されている。
【００５８】
図２に示すように、開口部Ａの上部に配置されたＡＬＣパネル１，２は、突条１１を形成した小口面を開口部Ａに対向させた状態で、支持面１４が支持部材となる開口枠Ｂの上部フレーム２１に載置されて支持されている。このＡＬＣパネル１，２は下方の端部が上部フレーム２１に、上方の端部が図示しない梁に、夫々図示しない一般的な手段によって取り付けられている。
【００５９】
サッシＣの上部枠３１にはシーリング材３５が設けられ、該シーリング材３５をＡＬＣパネル１，２の突条１１に形成したシーリング面１２に当接させることで、ＡＬＣパネル１，２とサッシＣとのシーリングを行い、雨水の浸入を防止することが可能である。また下部枠３３にはＡＬＣパネル４の上端部分を覆う水切板３４が接続され、該水切板３４とＡＬＣパネル４の外表面との間にシーリング材３５が施工されて雨水等の浸入を防止している。
【００６０】
図３に示すように、開口部Ａの左右方向の両側（図に於いては片側を示す）に配置されたＡＬＣパネル３は、突条１１を形成した小口面を開口部Ａに対向させた状態で、支持面１４が支持部材となる開口枠Ｂの縦フレーム２２に当接して支持されている。このＡＬＣパネル３は、上下両端部が夫々図示しない梁に一般的な手段で取り付けられている。
【００６１】
サッシＣの縦枠３２にはシーリング材３５が設けられ、該シーリング材３５をＡＬＣパネル３の突条１１に形成したシーリング面１２に当接させることで、ＡＬＣパネル３とサッシＣとのシーリングを行い、雨水の浸入を防止することが可能である。
【００６２】
更に、図４に示すように、開口部Ａの少なくとも片側に配置されたＡＬＣコーナーパネル５は、突条１１を形成した小口面を開口部Ａに対向させた状態で、支持面１４が支持部材となる開口枠Ｂの縦フレーム２２に当接して支持されている。このＡＬＣコーナーパネル５は、上下両端部が夫々図示しない梁に一般的な手段で取り付けられている。
【００６３】
サッシＣの縦枠３２にはシーリング材３５が設けられ、該シーリング材３５をＡＬＣコーナーパネル５の突条１１に形成したシーリング面１２に当接させることで、ＡＬＣコーナーパネル５とサッシＣとのシーリングを行い、雨水の浸入を防止することが可能である。
【００６４】
尚、図４に示すように、ＡＬＣコーナーパネル５、該ＡＬＣコーナーパネル５に連続して配置された一般部の外壁パネル６の表面にタイル７を張った場合について簡単に説明すると、タイル７はＡＬＣコーナーパネル５の突条１１を覆うようにＬ型に形成されており、このタイル７によって、ＡＬＣコーナーパネル５の外表面及び突条１１の端面１１ｂを覆うように張り付けられている。更に、タイル７とサッシＣの縦枠３２との間にはシーリング３６が施され、タイル７とサッシＣとの間の隙間を遮蔽して雨水の浸入を防止し得るように構成されている。
【００６５】
上記の如く、外壁パネル６及びＡＬＣパネル１〜４，ＡＬＣコーナーパネル５の外表面にタイルを張り付けて外壁を構成する場合、開口部Ａの上部縁及び両側縁に配置された突条１１を回りこんで張り付けたタイル７とサッシＣとの隙間をシーリング材３６によって遮断することが可能であり、雨水等の浸入を防止することが可能となる。
【００６６】
次に、開口部Ａの上部及び両側に配置されるＡＬＣパネル２，３について図６，図７により説明する。尚、ＡＬＣパネル１は短辺の小口面に突条１１，シーリング面１２，傾斜面１３，支持面１４が形成されており、実質的な形状が図７と大幅に変わるものではない。
【００６７】
図６，図７（ａ）に示すＡＬＣパネル２，３は、予め設定された幅寸法と長さ寸法及び厚さ寸法を有する軽量気泡コンクリートパネルとして形成されており、一方側の長辺２ｃ，３ｃの小口面に突条１１〜傾斜面１３，支持面１４が形成されている。また他方側の長辺２ｄ，３ｄには、予め設定された高さと幅を持った突起１６が全長にわたって形成されている。
【００６８】
またＡＬＣパネル３は、図７（ｂ）に示すように、幅方向両側の長辺３ｃ，３ｄに夫々突条１１，シーリング面１２，傾斜面１３，支持面１４を形成することもある。即ち、外壁に形成された開口部ＡがＡＬＣパネル３の幅寸法に対応した間隔を持って形成されている場合、これらの開口部Ａの間に配置されるＡＬＣパネル３は両側の長辺３ｃ，３ｄが開口部Ａに対向することとなり、夫々の長辺３ｃ，３ｄに突条１１〜支持面１４を形成することが必要となる。
【００６９】
次に、開口部Ａの片側に配置されるＡＬＣコーナーパネル５について図８，図９により説明する。図８，図９（ａ）に示すＡＬＣコーナーパネル５は、予め設定された厚さ寸法，幅寸法及び長さ寸法を持った軽量気泡コンクリートコーナーパネルとして形成されており、一方側の長辺５ｃの小口面に突条１１〜傾斜面１３，支持面１４が形成されている。また他方側の長辺５ｄは、一般に平坦な面として形成されている。
【００７０】
また図９（ｂ）に示すＡＬＣコーナーパネル８は、断面が略正方形幅に形成されており、一方側の長辺８ｃの小口面に突条１１〜傾斜面１３，支持面１４が形成されている。また他方側の長辺８ｄは、一般に平坦な面として形成されている。
【００７１】
また図９（ｃ）に示すＡＬＣコーナーパネル９は、前述のＡＬＣコーナーパネル５，８と比較して大きい寸法を持って形成されており、一方側の長辺９ｃの小口面に突条１１〜傾斜面１３，支持面１４が形成されている。また他方側の長辺９ｄは、一般に平坦な面として形成されている。尚、図９（ａ），（ｂ）に示すＡＬＣコーナーパネル５，８は、主に壁面出隅部に使用する場合の形状であり、図９（ｃ）に示すＡＬＣコーナーパネル９は、壁面入隅部に使用する場合の形状である。
【００７２】
【発明の効果】
以上詳細に説明したように本発明に係る開口部構造では、開口部の上方に配置されたＡＬＣパネルの長辺或いは短辺の小口面、又は開口部の片側に配置するＡＬＣパネルの長辺の小口面、或いは開口部の片側に配置されたＡＬＣコーナーパネルの長辺の小口面に、表面側に沿って突条を形成し、この突条の裏面にシーリング面を形成し、更に、シーリング面に向けて傾斜面を設け、このＡＬＣパネルを支持部材によって支持することによって、開口部の表面側には、該開口部の上部及び両側に突条が配置され、該突条の裏面にシーリング面が設けられる。そして開口部に配置されたサッシの上部枠又は縦枠と、ＡＬＣパネル，ＡＬＣコーナーパネルの突条の裏面に設けたシーリング面との間にシーリング材を設けることによって雨水の浸入を防止することが出来る。
【００７３】
上記の如く、シーリング材は突条に覆われＡＬＣパネルの表面側に露出することがない。このため、シーリング材が人目に晒されることがなく、美観を向上することが出来る。またサッシの表面が突条の厚さ分奥側に引き込むため、外壁面を奥行きを持たせた意匠とすることが出来る。更に、シーリング材が突条によって覆われることから日射や雨水に晒されることがなく、耐候性や防水性が劣化するのに要する期間を延長することが出来る。
【００７４】
このため、シーリング材が表面側に露出することがなく、美観を向上することが出来、且つ外壁面を奥行きを持たせた意匠とすることが出来る。更に、シーリング材が日射や雨水に晒されることがなく、耐候性や防水性が損なわれる期間を延長することが出来る。
【００７５】
また本発明に係るＡＬＣパネルでは、小口面の表面側に沿って形成された突条の裏面側に、シーリング面に向けた傾斜面が形成されているため、突条がＡＬＣによって形成されているにも関わらず、該突条を成形する過程で或いは施工過程で何らかの力が作用した場合であっても割れが入ることがなく、安定した形状を保持することが出来る。
【００７６】
また本発明に係るＡＬＣコーナーパネルも同様に、小口面の表面側に沿って形成された突条の裏面側に、シーリング面に向けた傾斜面が形成されているため、突条がＡＬＣによって形成されているにも関わらず、該突条を成形する過程で或いは施工過程で何らかの力が作用した場合であっても割れが入ることがなく、安定した形状を保持することが出来る。
【図面の簡単な説明】
【図１】開口部の周囲のＡＬＣパネルの配置状態を説明する図である。
【図２】開口部に配置されたサッシの納まりを説明する縦断面図である。
【図３】開口部に配置されたサッシの納まりを説明する平断面図である。
【図４】ＡＬＣコーナーパネルを有する開口部に配置されたサッシの納まりを説明する平断面図である。
【図５】ＡＬＣパネルの小口面を説明する図である。
【図６】ＡＬＣパネルの斜視図である。
【図７】ＡＬＣパネルの小口面の例を説明する図である。
【図８】ＡＬＣコーナーパネルの斜視図である。
【図９】ＡＬＣコーナーパネルの小口面の例を説明する図である。
【図１０】従来の開口部の構造を説明する縦断面図である。
【図１１】従来の開口部の構造を説明する平断面図である。
【符号の説明】
Ａ                          開口部
Ｂ                          開口枠
Ｃ                          サッシ
１〜４                      ＡＬＣパネル
３ａ                        裏面
３ｂ                        外表面
２ｃ，２ｄ，３ｃ，３ｄ，５ｃ，５ｄ，８ｃ，８ｄ，９ｃ，９ｄ
長辺
５                          ＡＬＣコーナーパネル
６                          外壁パネル
７                          タイル
１１                          突条
１１ａ                        面取り部
１１ｂ                        端面
１２                          シーリング面
１３                          傾斜面
１４                          支持面
２１                          上部フレーム
２２                          縦フレーム
２３                          下部フレーム
３１                          上部枠
３２                          縦枠
３３                          下部枠
３４                          水切板
３５，３６                      シーリング材
【図１】
2004183269.tif 000003
【図２】
2004183269.tif 000004
【図３】
2004183269.tif 000005
【図４】
2004183269.tif 000006
【図５】
2004183269.tif 000007
【図６】
2004183269.tif 000008
【図７】
2004183269.tif 000009
【図８】
2004183269.tif 000010
【図９】
2004183269.tif 000011
【図１０】
2004183269.tif 000012
【図１１】
2004183269.tif 000013